(57)【要約】      （修正有）【課題】スロット内にワニスを浸透させること。【解決手段】ステータコア１１の軸方向一端面にステータカフサ１３を備えた回転電機のステータの製造方法であって、ステータカフサ１３は、ステータコア１１のヨーク部上に配置される外側環状部４１と、外側環状部４１に連結されて、複数のステータティース上で延び、導体セグメントが接触して曲げられる複数のカフサティース４２と、複数のカフサティース４２の径方向内端部に連結される内側環状部４３と、を備え、外側環状部４１は、ステータコア１１の軸方向に突出する外周突出部４８を有し、前記内側環状部は、ステータコアの軸方向に突出する内周突出部４９を有し、外周突出部４８又は内周突出部４９の少なくとも一方からワニスを滴下して、カフサティース４２にワニスを流す。【選択図】図３
2018117403.tif 000002
【特許請求の範囲】
【請求項１】
ステータコアの軸方向一端面にステータカフサを備えた回転電機のステータの製造方法であって、
前記ステータカフサは、
ステータコアのヨーク部上に配置される外側環状部と、
前記外側環状部に連結されて、複数のステータティース上で延び、導体セグメントが接触して曲げられる複数のカフサティースと、
前記複数のカフサティースの径方向内端部に連結される内側環状部と、を備え、
前記外側環状部は、ステータコアの軸方向に突出する外周突出部を有し、
前記内側環状部は、ステータコアの軸方向に突出する内周突出部を有し、
前記外周突出部又は前記内周突出部の少なくとも一方からワニスを滴下して、前記カフサティースにワニスを流す
ステータの製造方法。
【発明の詳細な説明】
【技術分野】
【０００１】
本発明は、ステータの製造方法に関する。
【背景技術】
【０００２】
従来、このような分野の技術として、特開２０１６−０３９７１２号公報がある。この公報に記載されたステータは、ステータコアの一端面にステータカフサが配置されたステータであって、ステータカフサはステータコアのヨーク部上に配置される外側環状部と、外側環状部に連結され、複数のステータティース上で伸び、導体セグメントが接触して曲げられる複数のカフサティースと、複数のカフサティースの径方向内側部に連結する内側環状部と、を備える。外周環状部には、カフサティースと交わる位置にティース外周突出部が形成されており、ティース外周突出部には、軸方向中央にワニスを案内する案内部が形成されている。
【先行技術文献】
【特許文献】
【０００３】
【特許文献１】特開２０１６−０３９７１２号公報
【発明の概要】
【発明が解決しようとする課題】
【０００４】
しかしながら、前述したステータでは、コイル間の間隙が小さい場合に、ワニスをコイルエンド上部から滴下すると、コイル間でワニスが硬化し、スロット内までワニスが浸透しない場合がある。
本発明は、コイル間でワニスが硬化することなく、スロット内までワニスを浸透させるステータの製造方法を提供するものである。
【課題を解決するための手段】
【０００５】
本発明にかかるステータの製造方法は、ステータコアの軸方向一端面にステータカフサを備えた回転電機のステータの製造方法であって、前記ステータカフサは、ステータコアのヨーク部上に配置される外側環状部と、前記外側環状部に連結されて、複数のステータティース上で延び、導体セグメントが接触して曲げられる複数のカフサティースと、前記複数のカフサティースの径方向内端部に連結される内側環状部と、を備え、前記外側環状部は、ステータコアの軸方向に突出する外周突出部を有し、前記内側環状部は、ステータコアの軸方向に突出する内周突出部を有し、前記外周突出部又は前記内周突出部の少なくとも一方からワニスを滴下して、前記カフサティースにワニスを流す。
これにより、カフサティースを伝ってワニスを流すことができる。
【発明の効果】
【０００６】
これにより、スロット内にワニスを浸透させることができる。
【図面の簡単な説明】
【０００７】
【図１】ステータの概形を示す斜視図である。
【図２】ステータの外周付近の一部の拡大図である。
【図３】ステータの外周側からワニスを滴下する場合のＡ−Ａ断面図である。
【図４】内周側へのワニスの染みだしを示したＡ−Ａ断面図である。
【図５】ステータの内周側からワニスを滴下する場合のＡ−Ａ断面図である。
【図６】外周側へのワニスの染みだしを示したＡ−Ａ断面図である。
【発明を実施するための形態】
【０００８】
以下、図面を参照して本発明の実施の形態について説明する。図１に示すように、ステータ１は、ステータコア１１と、ワニスによりステータコア１１に固定される複数のセグメントコイル１２と、ステータカフサ１３と、を備える。ステータ１は、回転電機のステータである。
【０００９】
ステータコア１１は、複数の円板状の磁性体である電磁鋼板を軸方向に積層することにより形成されている。ステータコア１１は、円環状のヨーク部２１と、ヨーク部２１の内周面において周方向に複数の位置から径方向に突出して形成された複数のステータティース２２と、を備える。なお、複数のステータティース２２同士の間に、スロット２３が形成されている。
【００１０】
複数のセグメントコイル１２は、例えば３相の連結コイルであり、夫々Ｕ相、Ｖ相、Ｗ相コイルとして扱われる。各セグメントコイル１２は、複数の導体セグメント３１を有する。セグメントコイル１２は、ステータコア１１において、複数のスロット２３を挟んで周方向に離れた２つのスロット２３に一部が挿入され、複数のステータティース２２の周りに巻回される。また、導体セグメント３１は、複数個が径方向に並んだ状態で、スロット２３内に挿入されており、ステータコア１１の軸方向の一端面から突出している。なお、導体セグメント３１の先端部は、軸方向外側に向いて延びるように曲げ形成されており、隣り合う同じ相の導体セグメント３１の先端部同士が接合される。
【００１１】
ステータカフサ１３は、図１に示したステータコア１１の上端面側である軸方向一端面に配置されている。なお、図１ではステータカフサ１３を周方向の２箇所で切断し、一部を表示させている。また図２は、ステータ１の軸方向の一端部の拡大図である。ステータカフサ１３は、ステータコア１１のヨーク部上に配置される外側環状部４１と、複数のステータティース２２上に延びる複数のカフサティース４２と、複数のカフサティース４２の径方向内側部に連結する内側環状部４３と、を有している。例えば、ステータカフサ１３は、樹脂部品である。
【００１２】
外側環状部４１は、円環状に形成されており、複数のティース外側配置部４４と、隣り合うティース外側配置部４４の間を連結する外側連結部４５と、を備える。図３に示すように、ティース外側配置部４４は軸方向に突出する外周突出部４８を有している。
【００１３】
内側環状部４３は、外側環状部４１と同じ中心軸を有する円環状に形成されており、外側環状部４１より径方向内側に配置されている。内側環状部４３は、複数のティース内側配置部４６と、隣り合うティース内側配置部４６間を連結する内側連結部４７と、を備える。また、図３に示すように、ティース内側配置部４６は、軸方向に突出する内周突出部４９を有している。
【００１４】
なお、カフサティース４２は、ティース外側配置部４４の内周面とティース内側配置部４６の外周面と、を径方向に連結している。また、カフサティース４２は、セグメントコイル１２を構成する導体セグメント３１の曲げの起点となるように、導体セグメント３１に当接する。
【００１５】
次に、図面を用い、ステータ１にワニスを滴下して、ステータコア１１とセグメントコイル１２を固定する場合について説明する。
【００１６】
図２及び図３に示すように、ステータコア１１の外径側からワニスを滴下する場合には、ティース外側配置部４４に対して、軸方向からワニスを滴下する。
【００１７】
ティース外側配置部４４の外周突出部４８に滴下されたワニスは、カフサティース４２を流路として、内径側までワニスが流れる。
【００１８】
このとき、ステータコア１１の外径はスペースが大きいため作業性が良い。なお図４に示すように、滴下したワニスが内径側に染みだす場合がある。このとき、内側に設けられるロータと干渉することがあるため、内径側の染みだしに対して対策が必要になる場合がある。
【００１９】
次に、図５に示すように、ステータコア１１の内径側からワニスを滴下する場合には、ティース内側配置部４６に対して、軸方向からワニスを滴下する。
【００２０】
ティース内側配置部４６の内周突出部４９に滴下されたワニスは、カフサティース４２を流路として、外径側までワニスが流れる。
【００２１】
このとき、図６に示すように、外径側にワニスの染みだしが発生する場合があるが、外径側にはステータコア１１が大きく設けられているため、余裕代がある。なお、ステータコア１１の内径側ではワニスを塗布するためのスペースが小さいため、場合によってはコイルを外径側に寄せてワニス滴下を実行する必要がある。
【００２２】
なお、セグメントコイル１２のリード側及び反リード側のいずれにおいても、ワニスを滴下する方向を内径側、外径側のどちら側から実行しても良い。例えば、ステータ１においてワニスを滴下する機材を挿入するスペースを考慮し、リード側では内径側からワニスを滴下し、反リード側では外径側からワニスを滴下して、ステータコア１１とセグメントコイル１２の固定を行っても良い。また、リード側と反リード側のいずれか一方のみについて、ステータカフサ１３にワニスを滴下することによる固定を実行しても良い。
【００２３】
これにより、ステータの外周部又はステータの内周部側から滴下したワニスを、スロット内まで浸透させることができ、ステータコアとセグメントコイルを適切に固定することができる。
【００２４】
なお、本発明は上記実施の形態に限られたものではなく、趣旨を逸脱しない範囲で適宜変更することが可能である。
【符号の説明】
【００２５】
１            ステータ
１１            ステータコア
１２            セグメントコイル
１３            ステータカフサ
２１            ヨーク部
２２            ステータティース
２３            スロット
３１            導体セグメント
４１            外側環状部
４２            カフサティース
４３            内側環状部
４４            ティース外側配置部
４５            外側連結部
４６            ティース内側配置部
４７            内側連結部
４８            外周突出部
４９            内周突出部
【図１】
2018117403.tif 000003
【図２】
2018117403.tif 000004
【図３】
2018117403.tif 000005
【図４】
2018117403.tif 000006
【図５】
2018117403.tif 000007
【図６】
2018117403.tif 000008